(57)【要約】【課題】真正品である感光性記録媒体用カートリッジを他の模倣品から識別することができる感光性記録媒体用カートリッジを提供する。【解決手段】本発明にかかる感光性記録媒体用カートリッジ２は、ディスク状の感光性記録媒体４と、感光性記録媒体４を回転自在に収容すると共に前記感光性記録媒体４の中心４ａと記録面４ｂとを外部に露呈させる開口１８，１９を有するカートリッジ本体１１と、カートリッジ本体１１の外側に組み付けられて開口１８，１９を閉じる閉じ位置と開口１８，１９を開放する開き位置との間で移動自在に配設されたシャッタ１３とを備え、カートリッジ本体１１の内部にＲＦＩＤ８１を備えている。【選択図】図１
2007052121.tif 000002
【特許請求の範囲】
【請求項１】
ディスク状の感光性記録媒体と、前記感光性記録媒体を回転自在に収容すると共に前記前記感光性記録媒体の中心と記録面とを外部に露呈させる開口を有するカートリッジ本体と、前記カートリッジ本体の外側に組み付けられて前記開口を閉じる閉じ位置と前記開口を開放する開き位置との間で移動自在に配設されたシャッタと、を備える感光性記録媒体用カートリッジであって、
前記カートリッジ本体の内部にＲＦＩＤを備えたことを特徴とする感光性記録媒体用カートリッジ。
【発明の詳細な説明】
【技術分野】
【０００１】
本発明は、感光性記録媒体を収容する感光性録媒体用カートリッジに関し、特に、遮光板と、カートリッジ本体に設けられた開口を開閉するシャッタとを備えた感光性記録媒体用カートリッジの改良に関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるDVDよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。また、カートリッジが、カートリッジ本体とシャッタ部材とシャッタカバーとを備えて構成されたものが知られている（例えば、特許文献３参照）。
【０００３】
また、ソフトウェア等を記録している磁気ディスクカートリッジ等を他のカートリッジから識別し、コピー品等を排除するため、識別部材を備えた磁気ディスクカートリッジが知られている（例えば、特許文献４参照）。
【０００４】
【特許文献１】特開２００４―０２９４７６号公報
【特許文献２】特開２００３―３１７４２２号公報
【特許文献３】特開２００１―２１６７５４号公報
【特許文献４】特開平９−２１３０５３号公報
【発明の開示】
【発明が解決しようとする課題】
【０００５】
ホログラム記録媒体を収容するカートリッジについても、記録されたソフトウェアを不正にコピーした模倣品と識別でき、いわゆる海賊版の使用を防止するため、上記特許文献４のように、模倣品に対して真正品であることを識別することができる機構が望まれている。しかし、特許文献４の磁気ディスクカートリッジは識別部材を光センサで検知する構成であるが、ホログラム記録媒体では、記録時にデータをレーザ光の干渉縞として感光性材料からなるホログラム記録層に照射するため、ドライブの記録部で遮光された環境となるため、光センサにより識別部材を検知する構成を適用することができない点で改善の余地がある。
【０００６】
本発明は、上記事情に鑑みてなされたもので、その目的は、真正品である感光性記録媒体用カートリッジを他の模倣品から識別することができる感光性記録媒体用カートリッジを提供することにある。
【課題を解決するための手段】
【０００７】
本発明の上記目的は、ディスク状の感光性記録媒体と、前記感光性記録媒体を回転自在に収容すると共に前記前記感光性記録媒体の中心と記録面とを外部に露呈させる開口を有するカートリッジ本体と、前記カートリッジ本体の外側に組み付けられて前記開口を閉じる閉じ位置と前記開口を開放する開き位置との間で移動自在に配設されたシャッタと、を備える感光性記録媒体用カートリッジであって、前記カートリッジ本体の内部にＲＦＩＤを備えたことを特徴とする感光性記録媒体用カートリッジによって達成される。
【０００８】
上記構成の感光性記録媒体用カートリッジは、カートリッジ本体内にＲＦＩＤを備えている。ＲＦＩＤは、タグ状の部材で、電波や電磁波で読み取り器と交信できる構成である。近年ではアンテナ側からの非接触電力伝送技術により、ＲＦＩＤは、ラベル型、カード型、コイン型、スティック型など様々な形状があり、用途に応じて選択する。通信距離は数mm程度のものから数mのものがあり、これも用途に応じて使い分けることができる。このようなＲＦＩＤを使用することで、ドライブの内部の遮光された暗室内でも読み取り及び書き込みが可能である。
【０００９】
ＲＦＩＤには、記録されたソフトウェアを不正にコピーした模倣品と識別できるように、特定のコードを記録することができる。
【００１０】
また、感光性記録媒体がホログラム記録媒体である構成とすれば、ホログラム記録媒体を感光させることなく、感光性記録媒体をカートリッジ本体内に保持することができる。
【発明の効果】
【００１１】
本発明の感光性記録媒体用カートリッジによれば、真正品である感光性記録媒体用カートリッジを他の模倣品から識別することができる感光性記録媒体用カートリッジを提供することにある。
【発明を実施するための最良の形態】
【００１２】
以下、本発明の実施形態を図面に基づいて詳しく説明する。
＜第１実施形態＞
図１〜図３は、本発明の実施形態であるホログラム記録媒体用カートリッジ（以下、カートリッジと省略する）の外観形状を示す斜視図である。図１は、カートリッジの一方の面を上方にした状態を示す斜視図、図２は反対側の面を上方にした状態を示す斜視図、図３はシャッタが開き位置にあり、ディスク収容部に円板形状のホログラム記録媒体（以下、記録ディスクと称する）が回転自在に収容された状態を示す斜視図である。また、図４は、カートリッジの構成を示す分解斜視図である。
【００１３】
図１から図３に示すように、カートリッジ２は、このカートリッジを取り扱うホログラム記録装置等に対し、矢印Ｃ方向から装填される。カートリッジ２の装填方向先端の両側面には、カートリッジ２がホログラム記録装置等の各種機器に装填された際に、各機器に設けられた位置決め部材が挿入される位置決め溝７,８が設けられている。
【００１４】
記録ディスク４は、中心部に穴をあけてディスク状にしたホログラム記録ディスクであり、両面にホログラム記録層が設けられている。このホログラム記録層には、例えば、緑色５３２ｎｍ〜青色４０５ｎｍの波長域のレーザ光により、データがレーザ光の干渉縞として多層記録される。なお、記録ディスク４の穴部に補強材を付加してもよい。カートリッジ２は、記録ディスク４の両面の記録面に記録を行なうために、Ａ面２ａまたはＢ面２ｂのいずれかを上にしてホログラム記録装置にセットされる。
【００１５】
カートリッジ２は、ディスク収容部３が設けられたカートリッジ本体１１と、このカートリッジ本体１１の外側を挟み込むようにして取り付けられる遮光板１２と、カートリッジ本体１１と遮光板１２との間に組み込まれるシャッタ１３とを備えている。遮光板１２の上下面には、第２の開口である略長方形の外部開口１４、１５が形成されている。これらの外部開口１４,１５は、シャッタ１３が閉じ位置にあるときに、第１シャッタ５５ａ,第２シャッタ５５ｂによって閉じられている。
【００１６】
図３に示すように、シャッタ１３が矢印Ｄ方向の開き位置に向けて移動すると、外部開口１４,１５とともに、外部開口１４,１５に対面するようにカートリッジ本体１１に設けられている同形状の内部開口１８,１９が開放される。これにより、ディスク収容部３内に収容されている記録ディスク４の中心部４ａと、記録面４ｂとが外部に露呈される。
【００１７】
シャッタ１３は、内蔵するシャッタバネによって閉じ位置に付勢され、かつロック機構によって閉じ位置でロックされている。ロック機構の解除は、位置決め溝７内に突出されている第２のロック部材６４をカートリッジ２内に押し込み、その状態でカートリッジ２のＡ面２ａ及びＢ面２ｂの開口７３,７２から露呈されている第１のロック部材６３をカートリッジ装填方向の後端側にスライドさせる。このように、シャッタ１３は、２段階の操作を行なわなければ解除されないロック機構によって閉じ位置でロックされているため、シャッタ１３が不用意に開放されることはない。
【００１８】
図４に示すように、カートリッジ本体１１は、略板状の第１シェル２５と、この第１シェル２５に接合される第２シェル２６と、第１シェル２５と第２シェル２６との間に組み込まれてシャッタ１３のロックを行なうロック機構２７とから構成されている。
【００１９】
第１シェル２５と第２シェル２６は、例えば、遮光性物質と滑剤とが添加された同一または類似の熱可塑性プラスチックを用いて、射出成形により形成されている。第１シェル２５及び第２シェル２６には、記録ディスク４の中心部４ａと記録面４ｂとを外部に露呈させる内部開口１８，１９がそれぞれ設けられている。
【００２０】
図４に示すように、第１シェル２５及び第２シェル２６の外面（図４においては第２シェル２６側の状態を示す。）には、遮光板１２の形状より僅かに大きく、且つ遮光板１２の厚み以上の深さの段差部２６ｄを有し、内側にオフセットさせた遮光板取付面２６ａが形成されている。また、遮光板取付面２６ａの内側には、後に詳述するシャッタ部材５５の厚み以上の深さで内側にオフセットさせたシャッタ摺動面２６ｂが形成されている。
【００２１】
遮光板１２の材質には、遮光性、耐食性、装飾性、加工性を得ることができ、かつ軽量で強度のあるものとして、例えばアルミニウム合金が用いられている。なお、遮光板１２はプラスチックで形成してもよいが、遮光性と、シャッタ１３の滑り性とを確保するために、遮光性物質と滑剤とが添加されたプラスチックを用いるとよい。
【００２２】
図４に示すように、遮光板１２は、アルミニウム合金の薄板に外部開口１４,１５と、シャッタ１３の移動範囲を得るための切欠４０とを形成し、断面が略コ字形状となるように屈曲させたものである。これにより、遮光板１２には、外部開口１４,１５をそれぞれ有する第１の板部１２ａ及び第２の板部１２ｂと、切欠４０を有し第１の板部１２ａと第２の板部１２ｂとを連設させる第３の板部１２ｃとが設けられている。また、第１の板部１２ａ及び第２の板部１２ｂと第３の板部１２ｃとをそれぞれ連接する角部は、略９０°に曲げられて遮光部１２ｅ，１２ｆが形成される。遮光板１２の大きさは、シャッタ１３の移動領域のすべての範囲を覆うことが可能な大きさとなっている。
【００２３】
第３の板部１２ｃと第１の板部１２ａ及び第２の板部１２ｂとの稜線部、およびカートリッジ２の装填方向Ｃ両側の２辺と装填方向Ｃと直交する方向の１辺との各交差部には切り込みが入れられて、第１の板部１２ａ及び第２の板部１２ｂの外周端部が互いに接近する方向（換言すれば、カートリッジ本体１１に取り付けられたときに向かう方向）に略ヘの字形に曲げられている。これにより、第１の板部１２ａ及び第２の板部１２ｂの外周端部には、略ヘの字形の屈曲部１２ｄが形成されている。この屈曲部１２ｄは、外周端部の３辺すべてに形成するのが遮光性能上から望ましいが、これに限定されない。
【００２４】
遮光板取付面２５ａ,２６ａは、遮光板１２の厚み以上の深さで内側にオフセットされているので、カートリッジ本体１１に取り付けられた遮光板１２の外面は、カートリッジ２の表面から突出することはない。また、図９から図１２に示すように、第１の板部１２ａ及び第２の板部１２ｂの各屈曲部１２ｄの先端は、それぞれ第１シェル２５及び第２シェル２６の段差部２５ｄ,２６ｄに対向して位置する。
【００２５】
図４に示すように、遮光板１２の第１の板部１２ａ及び第２の板部１２ｂの外周には、略等間隔で小さな穴４９が形成されている。また、第１シェル２５及び第２シェル２６の遮光板取付面２５ａ,２６ａには、遮光板１２の穴４９に対応する位置に、遮光板１２の厚みよりも僅かに長いピン５０が一体に形成されている。
【００２６】
遮光板１２がカートリッジ本体１１の外側（遮光板取付面２６ａ）に取り付けられると、第１シェル２５及び第２シェル２６のピン５０が穴４９に挿入され、遮光板１２の表面から突出される。遮光板１２は、その弾性力に抗して屈曲部１２ｄの先端部が遮光板取付面２６ａに押圧されながら、各ピン５０の先端が熱で潰されることによりカートリッジ本体１１に固着される。これにより、遮光板１２の外周端部（各屈曲部１２ｄの先端）と遮光板取付面２６ａは隙間がない状態で密着し、部品精度誤差などに起因して部分的に隙間があっても確実に光の回り込みを防止して遮光する。
【００２７】
なお、遮光板１２のカートリッジ本体１１への固着方法としては、これ以外に、接着剤や両面テープ、ねじ止め等を用いることができる。また、遮光板１２をプラスチックで形成した場合には、各種溶着を用いることもできる。
【００２８】
図４に示すように、シャッタ１３は、遮光性を有する薄板を略コ字形状となるように屈曲させたシャッタ部材５５と、このシャッタ部材５５に取り付けられる細長い板状のスライド部材５６とからなる。シャッタ部材５５は、遮光板１２と同様の理由により、例えば、アルミニウム合金で形成されている。なお、シャッタ部材５５もプラスチックで形成してよいが、やはり、遮光性と滑り性とを確保するために、遮光性物質と滑剤とが添加されたプラスチックを用いるとよい。スライド部材５６は、遮光性物質と滑剤とが添加されたプラスチックで形成されている。
【００２９】
シャッタ部材５５は、第１シェル２５の外面と遮光板１２の第１の板部１２ａとの間に挿入される第１シャッタ５５ａと、第２シェル２６の外面と遮光板１２の第２の板部１２ｂとの間に挿入される第２シャッタ５５ｂと、これら第１シャッタ５５ａと第２シャッタ５５ｂとを連設するとともに、スライド部材５６が取り付けられる連設部５５ｃとを備えている。
【００３０】
第１シェル２５と第２シェル２６との外面には、遮光板取付面２６ａの内側に、シャッタ部材５５の厚み以上の深さで内側にオフセットさせたシャッタ摺動面２６ｂが形成されている。これにより、シャッタ１３はカートリッジ本体１１と遮光板１２との間をスムースに移動することができるため、移動による切屑等の発生を抑えることができる。なお、シャッタ摺動面２６ｂは、入射した光を拡散するために、粗面にしてもよい。同様に遮光板１２の内面、及びシャッタ１３の内面及び外面も粗面にしてもよい。
【００３１】
スライド部材５６は、上面がカートリッジ本体１１の装填方向先端面から露出されるように、第１シェル２５と第２シェル２６との間にスライド自在に組み込まれる。スライド部材５６の上面端部には、シャッタ部材５５の連設部５５ｃの内面に取り付けられる取付面５６ａが設けられている。この取付面５６ａには、例えば２本のピン５６ｂが一体に形成されており、連設部５５ｃに設けられた二つの穴５５ｄに挿入されて熱で先端が潰されることにより、シャッタ部材５５とスライド部材５６とを固着する。なお、この固着にも接着剤や両面テープ等を用いてもよいし、シャッタ部材５５をプラスチックで形成する場合には、各種溶着を使用してもよい。また、ねじ止めを用いてもよい。
【００３２】
スライド部材５６の他方の上面端部には、シャッタ１３を開く際に操作される被操作部５６ｄが一体に形成されている。この被操作部５６ｄは、シャッタ部材５５に対し、スライド部材５６をシャッタの閉じ方向に伸ばすように設けたことにより、遮光板１２の第３の板部１２ｃに隠れることなく外部に露出されている。遮光板１２の第３の板部１２ｃの切欠４０は、シャッタ１３が開き位置に移動した際に、被操作部５６ｄとの干渉を避けるために設けられている（図３参照）。
【００３３】
シャッタ１３は、シャッタバネ５９により閉じ方向に付勢されている。シャッタバネ５９は、例えば、捩じりコイルバネからなり、その両端は、スライド部材５６と、第１シェル２５の内面とに係止されている。
【００３４】
カートリッジ本体１１は、シャッタ１３を閉じ位置でロックするロック機構２７を備えている。ロック機構２７は、シャッタ１３を閉じ位置でロックする第１のロック部材６３と、この第１のロック部材６３の移動をロックする第２のロック部材６４と、第２のロック部材６４を図中反時針方向、及び上方に向けて付勢するロックバネ６５とから構成されている。
【００３５】
第１シェル２５には、第１のロック部材６３の操作部をドライブ側の解除機構によって解除できるように、第１シェル２５の外面から外部に露呈させる開口７２が形成されている。また、第２シェル２６にも同様に操作穴を外部に露呈させる開口７３が、開口７２に対面する位置に形成されている。
【００３６】
図１から４に示すように、本発明にかかる感光性記録媒体用カートリッジ２は、カートリッジ本体１１の内部に、識別部材８１を備えている。識別部材８１には、第２シェル２６の内側の面に突出された支持リブ８２に取り付けられている。具体的には、識別部材８１としてＲＦＩＤ（Radio Frequency Identification）を使用する。ＲＦＩＤは、データを記憶し、電波や電磁波で読み取り器と交信する構成であり、数ｃｍ程度の大きさのタグ状の部材であって環境性に優れている。ＲＦＩＤとしては、非接触型の構成のものを使用する。こうすることで、ＲＦＩＤを取り付けた部位をカートリッジ本体１１の外部に露呈させる必要がないため、遮光性を確保することができる。非接触型のＲＦＩＤは、アンテナ側からの非接触電力伝送技術により、電池を持たない半永久的に利用可能である。タグは、ラベル型、カード型、コイン型、スティック型など様々な形状があり、用途に応じて選択することができる。通信距離は数mm程度のものから数mのものがあるが、カートリッジ本体の寸法、及び、ドライブの構成に応じて適宜変更することができる。
【００３７】
本発明にかかる感光性記録媒体用カートリッジによれば、カートリッジ本体１１の内部に識別部材８１としてＲＦＩＤを使用することで、ドライブの内部の遮光された暗室内でも読み取り及び書き込みが可能である。このため、例えば、ＲＦＩＤに記録されたソフトウェアを不正にコピーした模倣品と識別でき、特定のコードを記録することによって、真正品と模倣品とを識別することができる。ＲＦＩＤは、カートリッジ本体１１に組み込まれているため、取り扱い時には使用者に特に新たな作業が加担されることなく、今までと同じ取り扱いをすることで識別情報の書き込み及び読み込みを行うことができるため使い勝手が良い。
【００３８】
ＲＦＩＤの情報を読み取るリーダ装置は、感光性記録媒体用の記録装置（ドライブ）に備えられていてもよく、または、ＲＦＩＤの読み取り専用の装置として構成されていてもよい。
【００３９】
上記第１シェル２５及び第２シェル２６を形成するプラスチックに添加する遮光性物質として様々な物質を添加することができるが、使用する遮光性物質に応じて、例えば、０．０１〜５．００重量％を添加することが好ましい。また、上記遮光性物質として、例えば、カーボンブラックを用いることができる。このカーボンブラックの添加により遮光性を確保し、物理強度を向上させることができる。カーボンブラックの添加量としては、０．０１〜２．００重量％が好ましい。添加量が０．０１重量％を超えると、遮光性及び物理強度の向上という効果が表れるが、２．００重量％を超えると物理強度が低下するためである。
【００４０】
上記滑剤として、例えば、シリコ一ン系滑剤を用いることができる。このシリコーン系滑剤の添加により摩擦低抗が低減するため、シャッタ１３の移動による削り屑の発生を少なくすることができる。また、輸送時の衝撃で記録ディスク４とカートリッジ本体１１の内壁とが接触した場合の削り屑の発生も低減することができる。更に、機器への挿入性等の取り扱い性が向上する、また、流動性が向上するため、成形時の混練性、射出成形性等の加工性等も向上する。
【００４１】
なお、シリコーン系滑剤の添加量としては、０.１〜３.０重量％が好ましい。０．１重量％以下では効果が少なく、３．０重量％以上では、流動性がよくなりすぎて混練、成形時にスクリューと樹脂とに滑りが生じて加工性が悪化し、製品表面にブリードアウトして記録ディスク４や使用者の手などに付着し、取り扱い性、外観性で不具合を生じることがあるためである。なお、共重合シリコーンを使用する場合には、上記不具合は生じにくくなるため、５．０重量％まで添加することが可能である。
【００４２】
第１シェル及び第２シェルには、厚み０．２ｍｍにおいて可視光線透過率が１．０％以下の遮光性を有するプラスチックを使用し、必要な物理的強度を得るために、その肉厚を０．２〜１．６ｍｍの範囲で形成するのが好ましい。上記遮光特性を有するプラスチックを得るには、遮光性物質を添加するとよい。遮光性物質としては、種々のものを用いることができ、使用する遮光性物質に応じて０．０１〜５．００重量％を添加するのが好ましい。遮光性物質としては、以下のようなものが考えられる。
【００４３】
（１）無機化合物
Ａ、酸化物…シリカ、ケイ藻土、アルミナ、酸化チタン、酸化鉄(鉄黒)、酸化亜鉛、酸化マグネシウム、酸化アンチモン、バリウムフェライト、ストロンチウムフェライト、酸化ベリリウム、軽石、軽石バルーン、アルミナ繊維等
Ｂ、水酸化物…水酸化アルミニウム、水酸化マグネシウム、塩基性炭酸マグネシウム等
Ｃ、炭酸塩…炭酸カルシウム、炭酸マグネシウム、ドロマイト、ド一ソナイト等
Ｄ、(亜)硫酸塩…硫酸カルシウム、硫酸バリウム、硫酸アンモニウム、亜硫酸カルシウム等
Ｅ、ケイ酸塩…タルク、クレー、マイカ、アスベスト、ガラス繊維、ガラスバルーン、ガラスビーズ、ケイ酸カルシウム、モンモリロナイト、ベントナイト等
Ｆ、炭素…カーボンブラック、グラファイト、炭素繊維、炭素中空球等
Ｇ、その他…鉄粉、銅粉、鉛粉、アルミウム粉、硫化モリブデン、ポロン繊維、炭化ケイ素繊維、黄銅繊維、チタン酸カリウム、チタン酸ジルコン酸鉛、ホウ酸亜鉛、メタホウ酸バリウム、ホウ酸カルシウム、ホウ酸ナトリウム、アルミニウムペースト、タルク等
【００４４】
（２）有機化合物
木粉(松、樫、ノコギリクズなど)、穀繊維(アーモンド、ビーナッツ、モミ穀など)、木綿、ジュート、紙細片、非木材繊維(ワラ、ケナフ、竹、エスパルト、パガス、モロヘイヤ、煙火など)、セロハン片、ナイロン繊維、ポリプロピレン繊維、デンプン(変性デンプン、表面処理デンプンも含む)、芳香族ポリアミド繊維など
【００４５】
これらの遮光性物質の中で、写真性に悪影響を及ぼすことが少なく、１５０℃以上でも熱に安定で不透明化する無機化合物が好ましく、特に、耐熱性、耐光性が優れ比較的不活性な物質である、光吸収性のカーボンブラックと窒化チタンとグラファイト及び鉄黒が好ましい。
【００４６】
遮光性物質としてカーボンブラックを使用する場合には、その添加量を０．０１〜２．００重量％とするのが好ましい。上述したように、遮光性及び物理強度のバランスがよいプラスチックを得るためである。
【００４７】
カーボンブラックの原料による分類例をあげるとガスブラック、ファーネスブラック、チャンネルブラック、アントラセンブラック、アセチレンブラック、ケッチェンカーボンブラック、サーマルブラック、ランプブラック、油煙、松煙、アニマルブラック、ベジタブルブラック等がある。
【００４８】
好ましいカーボンブラックの市販品の代表例としては、例えば、三菱化成製のカーボンブラック#20(B),#30(B),#33(B),#40(B),#41(B),#44(B),#45(B),#50,#100,#600,#950,#1000,#2200(B),#2400(B),MA8,MA11,MA100等が挙げられる。また、電気化学製のデンカブラック、東海カーボンのシースト、旭カーボンの旭#78、昭和キャボットのショウワブラック、新日鉄化学のニテロン、三菱化学のダイヤブラック等の各種グレードのものも用いることができる。
【００４９】
海外の製品としては、例えば、キャボット社のB1ack  Pear1s  2,46,70,71、74,80,81,607等、Rega1300,330,400,660,991,SRF-S等、Vulcan3,6等、Ster1ing10,SO,V,S,FT-FF,MT-FF等が挙げられる。さらにアシュランドケミカル社のUnitedR,BB,15,102,3001,3004,3006,3007,3008,3009,3011,3012,XC-3016,XC-3017,3020等が挙げることができるが、本発明は、これらに限定されるものではない。
【００５０】
また、第１シェル及び第２シェルとに添加する滑剤としては、シリコ一ン系滑剤、特に各種グレードのジメチルポリロキサンを使用することができ、東レ、ダウコーニング、シリコーン、GE東芝シリコーン、旭化成ワッカーシリコーン、信越化学等から市販されている各種グレードのものを使用することができる。なお、マスターバッチ、練り込み品のどちらでも使用可能である。なお、シリコーン系滑剤の添加量としては、０．１〜５．０重量％が好ましい。上述したように、摩擦抵抗と、製造適正、製品品質のバランスのよいプラスチックを得るためである。
【００５１】
また、シェルに設ける粗面としては、表面粗さＲａ；５μｍ以下だと光拡散効果が薄く、２０μｍ以上だと記録ディスクとの接触時に傷を発生させるおそれがある。そのため、表面粗さＲａ;５〜２０μｍのマット加工、またはシボ加工が好ましい。
【００５２】
遮光板１２及びシャッタ部材５５に使用するアルミニウム合金としては、A1-Mg系合金が好ましく、例えば、JIS合金番号5052、5056等が好ましい。また、より強度を高める場合には、JIS合金番号5083、5086等がより好ましい。更に、強度を高める場合には、A1-Mg-Si系合金(例えば、JIS合金番号6063,6061)や、Al一Cu系合金(例えば、JIS合金番号2014、2017)、A1-Zn-Mg系合金(例えば、JIS合金番号7003、7N01、7075、7050)等を用いてもよい。軽量化、加工のしやすさから、遮光板１２及びシャッタ部材５５の厚みは１．０ｍｍ以下が好ましく、より好ましくは０．１５〜０．５ｍｍである。
【００５３】
また、遮光板１２及びシャッタ部材５５は、プラスチックで形成してもよい。使用するプラスチックとしては、例えばPOM等が適しており、上述した第１シェル等と同様に、遮光性物質や滑剤を添加するとよい。
【００５４】
シャッタバネやロックバネには、バネ定数、耐久性、加工性などの観点から、オーステナイト系バネ用ステンレス鋼の使用が好ましく、例えば、SUS300番台を用いることができる。また、好ましい線径としては、シャッタバネは０．２〜０．７ｍｍ、ロックバネには０．１５〜０．４ｍｍが好ましい。
【００５５】
また、第１シェルと第２シェルとの固着に超音波溶着を用いたが、その他の溶着方法及び固着方法を用いてもよい。例えば、ネジなどで固着する場合には、ネジ穴の周囲にも遮光構造を形成するのが好ましい。また、第２シェル及び第１シェルを１部品で構成したが、複数の部品を組みあわせて形成してもよい。例えば、シャッタ収納部を境にして２部品で構成すれば、金型の簡易化を図ることができる。
【００５６】
更に、両面に記録が可能な記録ディスクを収容するカートリッジを例に脱明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカ一トリッジにも本発明を適用することができる。
【図面の簡単な説明】
【００５７】
【図１】図１から図１５は本発明の第１実施形態に係り、図１はカートリッジの外観形状を示す斜視図である。
【図２】カートリッジの反対側の面を示す外観斜視図である。
【図３】カートリッジのシャッタ開放状態を示す外観斜視図である。
【図４】カートリッジの構成を示す分解斜視図である。
【符号の説明】
【００５８】
２         カートリッジ（感光性記録媒体用カートリッジ）
４         記録ディスク（感光性記録媒体、ホログラム記録媒体）
１１       カートリッジ本体
１２       遮光板
１３       シャッタ
１８       内部開口（開口）
１９       内部開口（開口）
８１       識別部材
【図１】
2007052121.tif 000003
【図２】
2007052121.tif 000004
【図３】
2007052121.tif 000005
【図４】
2007052121.tif 000006